(57)【要約】【課題】  ボトルから飲料を自動的に抽出可能な装置（ボトルは垂直位置に保持される）を提供する。【解決手段】  装置は、ボトル内へのガスの導入、液体の抽出および注ぎ口チャネル（１９）の清浄化を可能とすると共に、空ボトルの簡単かつ衛生的な交換を可能とする抽出栓（１２）を備える。
2005522381.tif 000002
【特許請求の範囲】
【請求項１】
不活性ガスによって液体に圧力を加えることにより、通常の垂直位置に保持されたボトルから液体を自動的に抽出する装置において、
本体（１０）と、前記本体（１０）内に配されたリフト手段（１１）と、抽出栓（１２）とを備えることを特徴とする装置。
【請求項２】
前記抽出栓（１２）が、本体（１３）と、電動バルブ（１４）と、円錐口（１５’）を有する栓（１５）とからなる請求項１記載の装置。
【請求項３】
不活性ガス回路のパイプに接続され前記ボトルへ不活性ガスを導入可能とするチャネル（１６）と、一側がパイプ（１８）に接続され他側が注ぎ口（１９）に接続されたチャネル（１７）とが、前記抽出栓（１２）の本体（１３）内に設けられ、前記チャネル（１７）は、電動バルブ（１４）のピストンにより閉じられるチャンバ（２０）と、前記不活性ガス回路に接続された分岐路（２１）とにつながっている請求項１記載の装置。
【請求項４】
前記栓（１５）がチャンバ（２２）を介して前記本体（１３）に堅固に接続されている請求項３記載の装置。
【請求項５】
前記栓（１５）がチャンバ（２２）内で上下に移動可能である請求項３記載の装置。
【請求項６】
前記チャンバ（２２）内に、前記栓（１５）を押し下げるスプリング（２３）が設けられる請求項５記載の装置。
【請求項７】
前記チャネル（１６）の端がチャンバ（２２）につながっており、ニードル弁（２５）により閉じられる請求項６記載の装置。
【請求項８】
流体的機能および電気的機能を調整する手段をソフトウエアにより制御する請求項１ないし７のいずれかに記載の装置。
【請求項９】
磁気カードまたはチップカードを好適な入口に導入することにより装置の作動を行う請求項１ないし８のいずれかに記載の装置。
【請求項１０】
飲料代を示す液晶表示器または赤色発光表示器がボトル毎に前記装置の本体に設けられる請求項１ないし９のいずれかに記載の装置。
【請求項１１】
前記本体（１０）が２本以上のボトルを収容する請求項１ないし１０のいずれかに記載の装置。
【請求項１２】
ボトル内に入れられた液体に不活性ガスを作用させることにより前記ボトルから前記液体を抽出する方法において、請求項１ないし１１のいずれかに記載の装置を用いる方法。
【発明の詳細な説明】
【技術分野】
【０００１】
本発明は、通常の垂直位置に保持されたボトルから飲料を自動的に抽出するための装置に関する。
【背景技術】
【０００２】
飲料とくにボトル入り飲料を自動的に抽出する装置は周知であり、広く用いられている。この種の装置には、ボトルを上下逆さにしておき、好適なバルブを開いて液体の自重による落下により液体を抽出可能にしたものがある。また、その他のものは、通常の垂直位置に保持したボトルからコルク栓を通る２本のパイプを介して抽出可能としたものであって、１本のパイプを介して不活性ガスをボトル内に注入してボトル入りの液体を加圧下におき、液体を抽出するための抽出栓が開かれたときに加圧ガスにより第２のパイプを介して液体を押し出すようになっている。
【０００３】
２番目の方法は、ボトルを上下逆さの位置に置くと悪影響を受けるおそれのある飲料たとえばワインに特に好適する。
【発明の開示】
【発明が解決しようとする課題】
【０００４】
しかしながら、今までに公知となった各種装置には種々の欠点がある。実際、公知の装置によれば、チャネルや抽出栓の内部に数滴の液体が常に存在するので液体を完全に抽出することができず、乾燥すると酸素の作用で悪くなる付着物が残り、次に注がれる液体が悪くなることがある。すなわち、液体がパイプ内に留まっている間に液体の味わいが変化するおそれがある。更に、空になったボトルの交換が複雑になる。また、ボトル載置面にパイプが接触するおそれが常にあり、液体の味わいを変化可能なバクテリアやその他の汚染物質を呼び込むことになる。
【課題を解決するための手段】
【０００５】
本発明は、通常の垂直位置に保持されたボトルから液体を自動的に抽出する装置に関し、電動バルブを有した抽出栓を備える。この抽出栓の本体には、不活性の押出しガスの導入、液体の抽出および液体抽出後における抽出栓の清浄化を可能とする好適なチャネルが設けられている。
【発明を実施するための最良の形態】
【０００６】
本発明は、ボトルをリフト手段の上に垂直に載置し、また、不活性ガスの導入、液体の排出および抽出栓の清浄化を可能とする抽出栓を具備した装置によって、上述の欠点を解消するものである。
図１に示すように、この装置は本体１０を有し、本体１０内にはリフト手段１１が設けられている。
【０００７】
リフト手段１１の上方において本体１０の上部には抽出栓１２が配されている。この抽出栓１２は、好適なスイッチ１２’に接続されると共にガス回路及び電気回路（共に図示略）に接続されている。
図２に示すように、抽出栓１２は、本体１３、電動バルブ１４（およびこれに対応するマグネット１４’）ならびに栓１５からなる。栓１５は、円錐口１５’を介してボトルの首部に係合可能である。
【０００８】
電動バルブ１４は好ましくはダイアフラム式の電動バルブである。
抽出栓１２の本体１３内には、不活性ガスをボトル内に導入可能とするチャネル１６（図示しないガス回路のパイプに接続されている）と、抽出された液体が流れ込むチャネル１７とが設けられている。チャネル１７の一側はパイプ１８に接続され、また、チャネル１７の他側は注ぎ口１９に接続されている。
【０００９】
チャネル１７は、電動バルブ１４のピストンにより閉じられるチャンバ２０につながり、また、不活性ガス回路（図示略）に接続された分岐路２１につながっている。
栓１５は、チャンバ２２を介して本体１３に堅固に接続可能である。或いは、本発明の好適な方法によれば、栓１５はチャンバ２２内で上下に移動可能であり、この場合、チャンバ２２内には、栓１５を下方に押圧するスプリング２３が設けられる。
【００１０】
栓１５の外方部分にはガスケット２４（通常はゴムリング）が設けられている。
この第２の好適方法によれば、チャネル１６の端はチャンバ２２につながっており、ニードル弁２５により閉じられる。この場合、図３から分かるように、栓１５は上方へ移動したときにニードル弁２５に作用し、チャネル１６からボトル内へガスを自動的に導入可能とする。
【００１１】
パイプ１８（好ましくは可撓性材料）は、栓１５の円錐口１５’を通っており、チャネル１７に接続されている。液体は、このパイプ１８を通ってボトルから注ぎ口１９へ流れる。
リフト手段１１は、手動で移動可能あるいは機械的、電気的または空圧的（不活性ガス回路に接続可能）に移動可能であり、ボトルの首部が栓１５の円錐口１５’に入ってガスケット２４に密着するまでボトルをリフトすることになる。
【００１２】
リフト手段の上面は好ましくは滑り止め材からなり或いは滑り止め材により被覆されている。
好適なガスケット２６（例えばＯリング）は、電動バルブおよび栓１５（移動時）のシールを確実にする。
本装置が、所要の流体回路および電気回路を備え、また、同一用途の分野で公知の装置に用いられる不活性ガスタンクを備えることは明らかである。流体回路によりガスタンクと抽出栓とが接続されている。また、流体回路をリフト手段１１のリフト機構に接続可能である。そして、流体回路は、電気回路により本装置の電気部品（スイッチ、電動バルブなど）が付勢されている間、ガス圧を所定の所要値に制御しかつ安定化させるための好適な手段（バルブ、レギュレータなど）を備える。
【００１３】
本発明の特定の実施形態によれば、流体的機能および電気的機能（圧力、スイッチのオンオフ、抽出時間など）を調整する手段を好適なソフトウエアにより制御可能である。ユーザは、個人用の磁気カードまたはチップカードを介してソフトウエアを駆動可能である。また、その様なカードにより、飲料代を自動請求可能でもある。
本発明の別の特定の実施形態によれば、飲料代を示す液晶表示器または赤色発光表示器をボトル毎に装置本体に設けることができる。
【００１４】
本発明の装置の機能は非常に簡単である。
先ず、パイプ１８がボトル内に配置され、ボトルがリフト手段１１上に配置される。
リフト手段１１の作用により、ボトルの首部上面がガスケット２４に密着するまでボトルがリフトされる。
好適なスイッチの作用により、チャネル１６を介してボトルにガスが充填されて、液体に所要の圧力が加えられる。栓１５にニードル弁を嵌合させた場合には（図３に示すように）、ボトルの首部が栓１５を押圧すると、ガスが自動的に充填されることになる。
【００１５】
この様にして本装置では液体抽出の準備が整えられる。
ユーザは、例えば、好適なスイッチを作動させ或いは磁気カードやチップカード（コード番号により個人用にすることができる）を好適な入口に挿入して本装置のスイッチを入れた後、好適なスイッチ１２’を作動させて同スイッチに対応する電動バルブを開く。すると、ボトル内に加圧して収容されているガスにより、パイプ１８、チャネル１７およびチャンバ２２を介して液体が注ぎ口１９まで押され、ユーザは注ぎ口のところで液体を受け取ることになる。
【００１６】
所定量の液体が注がれると、電動バルブが閉じ、その後、分岐路２１よりも下方のチャネル１７内に残留している液体が流れるのに必要な短い時間が経過すると、分岐路２１内にガス噴流が吹き込まれて、チャネル１７や注ぎ口１９に残留している液滴が完全に除去される。
本装置は、次の飲料の注ぎ出しの準備を行う。
【００１７】
ボトルが空になると、リフト手段１１が下動し、ボトルがパイプ１８から取り外され、新たなボトルが設置される。ボトルの交換中、パイプ１８を空中に吊り下げておき、有機的または無機的な汚染源にパイプ１８が接触しないようにすることは有用である。
更に指摘すべきは、操作全体をオペレータが片手で行えることである。
本発明の装置が２本以上のボトルを設置可能であることは明らかであり、個々のボトルには同一または別の液体（例えば醸造年の異なる同一のワイン）が入っている。この場合、ソフトウエアを用いると、抽出された液体に応じた飲料代の請求を迅速かつ簡単に行うことができる。
【図面の簡単な説明】
【００１８】
【図１】本発明による装置の断面の概略を示す。
【図２】抽出栓の断面を詳細に示す。
【図３】抽出栓の特定の実施形態の断面を示す。
【符号の説明】
【００１９】
１０  装置本体
１１  リフト手段
１２  抽出栓
１２’  スイッチ
１３  抽出栓本体
１４  電動バルブ
１４’  マグネット
１５  栓
１５’  円錐口
１６、１７  チャネル
１８  パイプ
１９  注ぎ口
２０、２２  チャンバ
２１  分岐路
２３  スプリング
２４  ガスケット
２５  ニードル弁
【図１】
2005522381.tif 000003
【図２】
2005522381.tif 000004
【図３】
2005522381.tif 000005
【国際調査報告】
2005522381.tif 000006
2005522381.tif 000007
2005522381.tif 000008